(57)【特許請求の範囲】
【請求項１】
建物の外周部分に設けられた外周立ち上がり部と、外側面の下端に周方向に延びる突出部を設けた基礎スラブとを有するべた基礎の前記外周立ち上がり部の外側面及び前記基礎スラブの外側面に密着した断熱材の内部をシロアリが通過して、軸組及び床組へ侵入するのを物理的に防止する建物の防蟻構造であって、
前記突出部の外側面から、前記断熱材の外側面における少なくとも地上の所定高さまでの範囲を、前記シロアリの分泌物に耐性の耐腐食性材料で構成されたシート材で被覆したことを特徴とする建物の防蟻構造。
【請求項２】
建物の周方向に延びる突出部を外側面の下端に設けた基礎スラブの前記外側面に密着した断熱材の内部をシロアリが通過して、前記基礎スラブ上に設置された軸組及び床組へ侵入するのを物理的に防止する建物の防蟻構造であって、
前記突出部の外側面から、前記断熱材の外側面における少なくとも地上の所定高さまでの範囲を、前記シロアリの分泌物に耐性の耐腐食性材料で構成されたシート材で被覆したことを特徴とする建物の防蟻構造。
【請求項３】
建物の外周部分に設けられた外周立ち上がり部と、外周部分を前記外周立ち上がり部の外側面から外方へ突出する突出部とした基礎スラブとを有するべた基礎の前記外周立ち上がり部の外側面に密着した断熱材の内部をシロアリが通過して、軸組及び床組へ侵入するのを物理的に防止する建物の防蟻構造であって、
前記突出部の外側面から、前記断熱材の外側面における少なくとも地上の所定高さまでの範囲を、前記シロアリの分泌物に耐性の耐腐食性材料で構成されたシート材で被覆したことを特徴とする建物の防蟻構造。
【請求項４】
前記突出部の外側面と前記断熱材の外側面とが面一である請求項１乃至３のいずれか記載の建物の防蟻構造。
【請求項５】
前記シート材の上縁部を外方へ折曲してなる請求項１乃至４のいずれか記載の建物の防蟻構造。
【請求項６】
前記シート材が、少なくともいずれかの方向において前記シロアリの頭部横断面における最大寸法の２倍以下の寸法である複数のアンカー孔を有する請求項１乃至５のいずれか記載の建物の防蟻構造。
【請求項７】
少なくとも前記シート材の表面に、セメントと細骨材とを含有する表面材を塗布してなる請求項１乃至６のいずれか記載の建物の防蟻構造。
【請求項８】
前記表面材を、前記断熱材の外側面全体、又は外側面全体と上面全体を覆うように塗布してなる請求項７記載の建物の防蟻構造。
【請求項９】
建物の外周基礎の外側面に、この外周基礎の外側面に密着する断熱材の厚さと略同じ厚さでかつ外側面が前記断熱材の外側面と面一になるようにして周方向に延びる少なくとも１つの突出部を設け、
この突出部の上方と下方の少なくともいずれかに前記断熱材を密着させ、
前記突出部の上面が地上の所定高さにあり、かつ前記突出部の下面が地面と略同じ高さ又は地下にあると共に、
前記突出部の外側面における地上の所定高さから、この突出部の上方に密着した断熱材の少なくとも外側面全体を覆うように、セメントと細骨材とを含有する表面材を塗布してなる外断熱基礎構造。
【請求項１０】
少なくとも前記突出部の外側面と前記断熱材の外側面との継目にラス網を取付けてなる請求項９記載の外断熱基礎構造。
【請求項１１】
建物の外周基礎の外側面に、この外周基礎の外側面に密着する断熱材の厚さと略同じ厚さでかつ外側面が前記断熱材の外側面と面一になるようにして周方向に延びる少なくとも１つの突出部を設け、
この突出部の上方と下方の少なくともいずれかに前記断熱材を密着させると共に、
少なくとも前記突出部の外側面と前記断熱材の外側面との継目にラス網を取付けてなる外断熱基礎構造。
【請求項１２】
建物の外周基礎の外側面に、この外周基礎の外側面に密着する断熱材の厚さと略同じ厚さでかつ外側面が前記断熱材の外側面と面一になるようにして周方向に延びる少なくとも１つの突出部を設け、
この突出部の上方と下方の少なくともいずれかに前記断熱材を密着させ、
前記突出部の上面が地上の所定高さにあり、かつ前記突出部の下面が地面と略同じ高さ又は地下にあると共に、
少なくとも前記突出部の外側面と前記断熱材の外側面との継目にラス網を取付けてなる外断熱基礎構造。
【発明の詳細な説明】
【０００１】
【発明の属する技術分野】
この発明は、建物の外断熱基礎に使用される断熱材の内部をシロアリが通過して軸組や床組へ侵入するのを物理的に防止する建物の防蟻構造、及びこれに使用される外断熱基礎構造に関する。
【０００２】
【従来の技術】
建物における従来のシロアリ防除技術としては、例えば、（１）建物の床下の地盤（土壌）と、地面から１ｍ以内の木部とを薬剤で処理する方法や、（２）シロアリの活動をモニタリングしながら、侵入してきたシロアリに少量の薬剤を含む毒餌を摂食させて根絶するベイト工法（レスケミカル法）等が知られている。
【０００３】
しかしながら、上記のような従来例（１）においては、薬剤に起因する化学物質過敏症等の問題があり、即ち、建物内の環境が化学物質によって汚染されるという問題点がある。
【０００４】
また、従来例（２）においては、シロアリに毒餌を摂食させ、コロニー全体の活力を衰退させることを目的とするので、その開始から終了までに少なくとも数力月〜２年程度の長期間を要するという問題点がある。
【０００５】
そこで、これらの問題が発生しないように、（３）薬剤を全く使用しない、ステンレスメッシュや破砕石等の物理的なバリアーを構築する物理的工法（ケミカルフリー法）等が提案されている。この物理的工法に使用されるバリアー材としては、例えば、特許第２６５２９０２号公報及び特表平８−５０６８６８号公報に開示されているように、シロアリの分泌物に耐性で且つ少なくとも約７０のショア硬度を有する耐腐食性材料の編み目シートからなり、この編み目の孔がいずれの方向においても制御すべきシロアリ種の頭部横断面の最大寸法より小径であるシロアリバリアー材等がある。
【０００６】
【発明が解決しようとする課題】
しかしながら、上記のような従来例（３）においては、断熱基礎等に使用される断熱材をシロアリによる食害から保護することについては開示されていない。
【０００７】
この発明は、以上のような問題点に鑑みてなされたものであり、断熱材をシロアリによる食害から保護できる建物の防蟻構造や、これに使用される外断熱基礎構造を提供することを目的とする。
【０００８】
【課題を解決するための手段】
上記目的を達成するため、建物の防蟻構造に係る請求項１の発明は、建物の外周部分に設けられた外周立ち上がり部と、外側面の下端に周方向に延びる突出部を設けた基礎スラブとを有するべた基礎の前記外周立ち上がり部の外側面及び前記基礎スラブの外側面に密着した断熱材の内部をシロアリが通過して、軸組及び床組へ侵入するのを物理的に防止する建物の防蟻構造であって、前記突出部の外側面から、前記断熱材の外側面における少なくとも地上の所定高さまでの範囲を、前記シロアリの分泌物に耐性の耐腐食性材料で構成されたシート材で被覆したものである。
【０００９】
請求項２の発明は、建物の周方向に延びる突出部を外側面の下端に設けた基礎スラブの前記外側面に密着した断熱材の内部をシロアリが通過して、前記基礎スラブ上に設置された軸組及び床組へ侵入するのを物理的に防止する建物の防蟻構造であって、前記突出部の外側面から、前記断熱材の外側面における少なくとも地上の所定高さまでの範囲を、前記シロアリの分泌物に耐性の耐腐食性材料で構成されたシート材で被覆したものである。
【００１０】
請求項３の発明は、建物の外周部分に設けられた外周立ち上がり部と、外周部分を前記外周立ち上がり部の外側面から外方へ突出する突出部とした基礎スラブとを有するべた基礎の前記外周立ち上がり部の外側面に密着した断熱材の内部をシロアリが通過して、軸組及び床組へ侵入するのを物理的に防止する建物の防蟻構造であって、前記突出部の外側面から、前記断熱材の外側面における少なくとも地上の所定高さまでの範囲を、前記シロアリの分泌物に耐性の耐腐食性材料で構成されたシート材で被覆したものである。
【００１１】
請求項４の発明においては、前記突出部の外側面と前記断熱材の外側面とが面一である。
【００１２】
請求項５の発明は、前記シート材の上縁部を外方へ折曲したものである。
【００１３】
請求項６の発明においては、前記シート材が、少なくともいずれかの方向において前記シロアリの頭部横断面における最大寸法の２倍以下の寸法である複数のアンカー孔を有する。
【００１４】
請求項７の発明は、少なくとも前記シート材の表面に、セメントと細骨材とを含有する表面材を塗布したものである。
【００１５】
請求項８の発明は、前記表面材を、前記断熱材の外側面全体、又は外側面全体と上面全体を覆うように塗布したものである。
【００１６】
また、外断熱基礎構造に係る請求項９の発明は、建物の外周基礎の外側面に、この外周基礎の外側面に密着する断熱材の厚さと略同じ厚さでかつ外側面が前記断熱材の外側面と面一になるようにして周方向に延びる少なくとも１つの突出部を設け、この突出部の上方と下方の少なくともいずれかに前記断熱材を密着させ、前記突出部の上面が地上の所定高さにあり、かつ前記突出部の下面が地面と略同じ高さ又は地下にあると共に、前記突出部の外側面における地上の所定高さから、この突出部の上方に密着した断熱材の少なくとも外側面全体を覆うように、セメントと細骨材とを含有する表面材を塗布したものである。
【００１７】
請求項１０の発明は、少なくとも前記突出部の外側面と前記断熱材の外側面との継目にラス網を取付けたものである。
【００１８】
請求項１１の発明は、建物の外周基礎の外側面に、この外周基礎の外側面に密着する断熱材の厚さと略同じ厚さでかつ外側面が前記断熱材の外側面と面一になるようにして周方向に延びる少なくとも１つの突出部を設け、この突出部の上方と下方の少なくともいずれかに前記断熱材を密着させると共に、少なくとも前記突出部の外側面と前記断熱材の外側面との継目にラス網を取付けたものである。
【００１９】
請求項１２の発明は、建物の外周基礎の外側面に、この外周基礎の外側面に密着する断熱材の厚さと略同じ厚さでかつ外側面が前記断熱材の外側面と面一になるようにして周方向に延びる少なくとも１つの突出部を設け、この突出部の上方と下方の少なくともいずれかに前記断熱材を密着させ、前記突出部の上面が地上の所定高さにあり、かつ前記突出部の下面が地面と略同じ高さ又は地下にあると共に、少なくとも前記突出部の外側面と前記断熱材の外側面との継目にラス網を取付けたものである。
【００２２】
【発明の実施の形態】
以下、この発明の実施形態を図面に基づいて説明する。
図１乃至図４に示すように、第１実施形態に係る建物Ａの防蟻構造は、例えば、建物Ａの外周部分に設けられた外周立ち上がり部１と基礎スラブ２とを有するべた基礎３の外周立ち上がり部１の外側面１ａ、基礎スラブ２の外側面２ａ、及びこの基礎スラブ２の外側面２ａの下端に設けた突出部４に密着した断熱材５の内部をシロアリ６が通過して、軸組Ｂ及び床組Ｃへ侵入するのを物理的に防止するものであって、突出部４の外側面４ａから断熱材５の外側面５ａにおける地上の所定高さＬまでの範囲をステンレスメッシュ（シート材）７で被覆すると共に、ステンレスメッシュ７の下縁部７ｄから断熱材５の外側面５ａ全体と上面５ｃ全体を覆うようにモルタル（表面材）８を塗布したものである。
【００２３】
べた基礎３は、図１及び図２に示すように、建物Ａの外周部分に平面視で例えば矩形状等に施工された外周立ち上がり部１と、例えば外周部分２ｅが厚肉とされた基礎スラブ２とを有し、外周立ち上がり部１の内方に床下空間９が形成されている。
【００２４】
なお、外周立ち上がり部１の内方には、この実施形態のような間仕切として連続的に施工された立ち上がり部１０の他、独立の柱状体や束等を施工してもよい。また、基礎スラブ２の形状や施工高さ等も、特に限定されるものではない。
【００２５】
突出部４は、基礎スラブ２の外側面２ａの下端に設けられ、周方向に延びている。
【００２６】
断熱材５は、例えば合成樹脂発泡板等から構成され、外周立ち上がり部１の外側面１ａ、基礎スラブ２の外側面２ａ、及び突出部４に密着している。この断熱材５は、外周立ち上がり部１や基礎スラブ２等に接着剤等で接着したり、あるいは、基礎型枠の内方に且つ下方の割栗石１１等との間に突出部４形成用の隙間を開けて断熱材５のみ又はステンレスメッシュ７等を外側面５ａにあらかじめ取付けた断熱材５を配置した状態で基礎スラブ２等を打設する際にそのコンクリートに密着させたりすればよい。
【００２７】
断熱材５を基礎スラブ２等の打設により密着させる場合は、断熱材５とコンクリートとの密着が充分なものとなり、断熱性や防蟻性の面から更に好ましいものとなる。ここで、ステンレスメッシュ７等を外側面５ａにあらかじめ取付けた断熱材５を上記のようにして基礎型枠の内方に配置する場合において、ステンレスメッシュ７等の下縁部７ｄを断熱材５から下方に突出させておけば、基礎スラブ２の打設により形成される突出部４の外側面４ａ等にステンレスメッシュ７等の下縁部７ｄがより強固に密着するという利点がある。
【００２８】
シロアリ６とは、ゴキブリに近縁の社会生活をする不完全変態の昆虫であって、シロアリ目（等翅類）Isopteraの総称である。このようなシロアリ６としては、例えば、ヤマトシロアリやイエシロアリ等の各種のものが挙げられる。また、このシロアリ６は、図３に示すように、非変形性の堅い頭部６ａを有する一方、比較的柔らかくて弱い体部６ｂを有している。
【００２９】
ステンレスメッシュ７は、図４に示すように、シロアリ６の分泌物に耐性で且つ少なくとも約７０のショア硬度を有する耐腐食性材料であるステンレス鋼ワイヤー１２等から製織され、シロアリ６の頭部６ａの横断面における最大寸法Ｈの３倍以下の寸法である複数の編み目（アンカー孔）１３を有している。このようなステンレスメッシュ７としては、例えば、「ターミーメッシュ（ＴＥＲＭＩ−ＭＥＳＨ）」（商品名、ターミーメッシュ・オーストラリア社製）等を好適に使用することができる。
【００３０】
このステンレスメッシュ７は、例えば釘、ビス、ステーブル等の止着部材、接着剤や接着モルタル、あるいは断熱材５の外側面５ａへの埋設等によって、断熱材５にあらかじめ取付けられるか又は建物Ａの建築現場で取付けられる。前記止着部材を使用する場合には、この止着部材を例えば銅、亜鉛、黄銅等で構成したり、あるいはこれらを含有させたりして、シロアリ忌避効果を発揮させるようにしておいてもよい。
【００３１】
なお、シロアリバリアー材として使用されるシート材としては、このようなステンレスメッシュ７に限定されるものではなく、シロアリ６から放出されるギ酸等の分泌物に耐性で且つシロアリ６が噛み砕くことができない硬さ、好ましくは少なくとも約７０のショア硬度、又は噛み砕くことができない衝撃強さ等を有すると共に、使用環境下で数十年の耐用年数を有する耐腐食性材料で構成されていれば、種々のものを使用することができる。このようなシート材としては、例えば、セラミックス、ガラス、合成樹脂、金属等の繊維、フィラメント、ストランド等から製織又は製編等されたシートや不織布、あるいは金属板、金属シート、合成樹脂シート、ゴムシート等が挙げられる。
【００３２】
ここで、シート材が、編み目１３等の複数のアンカー孔を有する場合には、断熱材５に接着又は埋設する際に、アンカー効果によってこのシート材をより強固に一体化できるという利点がある。また、アンカー孔の寸法が前記最大寸法Ｈの２倍以下である場合には、シロアリ６の頭部６ａが通り抜けないか又は頭部６ａが通り抜けても柔らかい体部６ｂ等がアンカー孔に接触するような寸法であり、シロアリ６がそれを嫌うので、モルタル８等の表面材を塗布しない状態でもシロアリ６がシート材を通り抜けるのを確実に阻止できるという利点がある。更に、アンカー孔の寸法を比較的大きくできるので、シート材の材料コストを低減化できると共に、寸法精度も低くてよいために製造も簡単であるという利点がある。
【００３３】
なお、複数のアンカー孔を有するシート材としては、複数の編み目１３を有するステンレスメッシュ７の他、例えばアンカー孔を打ち抜いて形成したパンチングメタルや、あるいは複数のシャーリング溝によって形成されたアンカー孔を有する金属製又は合成樹脂製等のシート等が挙げられる。シート材の製品形状としては、面状の１枚品を多数使用してもよいが、施工性を考慮すると、ロール状の連続したものを使用するのが望ましい。なお、この実施形態のように、断熱材５の外側面５ａと突出部４の外側面４ａとが面一である場合は、シート材を折曲しないでフラットに取付けられるので、施工し易いという利点がある。
【００３４】
ここで、シロアリ６が断熱材５の内部へ侵入しようとする場合には、光・風等に弱いために地下１４からしか侵入できないので、突出部４の外側面４ａから断熱材５の外側面５ａにおける少なくとも地上の所定高さＬまでの範囲をステンレスメッシュ７等のシート材で被覆しておけば、断熱材５をシロアリ６による食害から保護することができる。そのため、断熱材５の内部をシロアリ６が通過して上方の軸組Ｂや床組Ｃへ侵入するのを防止できるという利点がある。
【００３５】
なお、高さＬとしては、地面１５から約５ｃｍ以上、より好ましくは約１０ｃｍ以上がよい。また、断熱材５は、少なくとも上記の範囲を被覆しておけばよいが、外側面５ａ全体等、必要に応じて他の範囲を被覆しておいてもよい。
【００３６】
モルタル８等の表面材は、少なくともセメントと細骨材とを含有しており、所定量の水を配合、混練した状態で塗布される。このような表面材としては、モルタル８の他、例えばセメントと砂等の細骨材とからなるセメント混合物に、例えばスチレンブタジエンゴム（ＳＢＲ）やポリビニル酢酸（ＰＶＡｃ）等の合成ポリマー等をベースとするセメント接着剤を添加した接着セメントや、あるいはこの接着セメントよりはセメント含有量が低いポリマーセメントと細骨材との混合物等が挙げられる。
【００３７】
セメントとしては、従来公知の種々のものが挙げられる。細骨材としては、例えば砂の他、ガラス粒子、ガラス短繊維、ガラスウィスカー等が挙げられる。
【００３８】
ここで、表面材にセメント接着剤等のポリマーを添加した場合には、表面材の強度、耐クラック性、接着性、水密性、耐摩耗性等を向上できるという利点がある。なお、セメント混合物としては、細骨材２〜３部に対してセメント１部程度の高いセメント含有量のものであることが望ましい。
【００３９】
更に、表面材には、必要に応じてシロアリ忌避剤を添加することもでき、この場合には、表面材がシロアリ６によって噛み破られる可能性をより低下させることができるという利点がある。なお、シロアリ忌避剤としては、例えば、亜鉛や銅、あるいは亜鉛化合物や銅化合物等が挙げられる。
【００４０】
セメントは、ステンレスメッシュ７や突出部４等と細骨材とをつなぐものであり、ステンレスメッシュ７等のシート材やコンクリート表面への接着性を付与するものである。
【００４１】
細骨材としては、編み目１３等のアンカー孔を通過できる大きさのものが好ましいが、余りに細かすぎるものは適当でない。これは、細骨材同士又は細骨材とステンレスメッシュ７等との距離が実質的に前記最大寸法Ｈの２倍以下となってシロアリ６の通過を防止するためである。なお、細骨材の配合量は特に限定されるものではなく、表面材がシロアリ６によって噛み破られないようにその大きさに応じて充分な量を配合しておけばよい。
【００４２】
このように、少なくともステンレスメッシュ７等のシート材にモルタル８等の表面材を塗布しておけば、シート材と断熱材５及び突出部４との間に隙間が形成されないので、断熱材５の内部へのシロアリ６の侵入を確実に防止できるという利点がある。
【００４３】
また、表面材をシート材に塗布する場合には、この実施形態のように、前記最大寸法Ｈの３倍以下の寸法である複数のアンカー孔を有するシート材を使用することができる。即ち、表面材に配合される細骨材同士又は細骨材とシート材との距離が実質的に前記最大寸法Ｈの２倍以下となってシロアリ６が通過できなくなるので、この場合も断熱材５の内部へのシロアリの侵入を防止できるという利点がある。なお、アンカー孔の寸法が前記最大寸法Ｈの３倍を超える場合には、シロアリ６が通過する可能性があるので、このようなシート材を使用するのは好ましくない。
【００４４】
更に、表面材を、突出部４の外側面４ａから断熱材５の外側面５ａ全体と上面５ｃ全体に塗布する場合には、上記のように断熱材５の内部へのシロアリ６の侵入を防止できると共に、断熱材５の外側面５ａ等のモルタル仕上げ等を行うことができるという利点がある。
【００４５】
図５及び図６に示すように、第２実施形態に係る建物Ａの防蟻構造は、第１実施形態の外周立ち上がり部１を施工しないで床下空間９を形成していない場合であり、例えば、建物Ａの周方向に延びる突出部４を外側面２２ａの下端に設けた基礎スラブ２２の前記外側面２２ａ及び突出部４に密着した断熱材５の内部をシロアリ６が通過して、基礎スラブ２２上に設置された軸組Ｂ及び床組Ｃへ侵入するのを物理的に防止するものであって、突出部４の外側面４ａから断熱材５の外側面５ａ全体をステンレスメッシュ７で被覆すると共に、このステンレスメッシュ７の下縁部７ｄから断熱材５の外側面５ａ全体と上面５ｃ全体を覆うようにモルタル８を塗布したものである。そのため、この実施形態においても、第１実施形態と同様の効果がある。
【００４６】
図７及び図８に示すように、第３実施形態に係る建物Ａの防蟻構造は、例えば、第１実施形態より高さの大きい外周立ち上がり部３１と、外周部分３２ｅを外周立ち上がり部３１の外側面３１ａから外方へ突出する突出部４とした平板状の基礎スラブ３２とを有するべた基礎３３の外周立ち上がり部３１の外側面３１ａ及び突出部４に密着した断熱材５の内部をシロアリ６が通過して、軸組Ｂ及び床組Ｃへ侵入するのを物理的に防止するものであって、突出部４の外側面４ａから断熱材５の外側面５ａ全体をステンレスメッシュ７で被覆すると共に、このステンレスメッシュ７の下縁部７ｄから断熱材５の外側面５ａ全体と上面５ｃ全体を覆うようにモルタル８を塗布したものである。
【００４７】
そのため、この実施形態においても、第１及び第２実施形態と同様の効果がある。このように、基礎スラブ３２は、第１及び第２実施形態の場合よりも低い位置に施工してもよい。
【００４８】
なお、第２及び第３実施形態において、断熱材５の外側面５ａは、全体をステンレスメッシュ７等で被覆しなくてもよく、少なくとも地上の所定高さまでの範囲を被覆しておけばよい。また、モルタル８等の表面材も、少なくともステンレスメッシュ７等に塗布しておけばよい。
【００４９】
図９に示すように、第４実施形態に係る建物Ａの防蟻構造は、例えば、第１実施形態において、ステンレスメッシュ７の上縁部７ｃを外方へ折曲したものである。
【００５０】
そのため、この実施形態によれば、モルタル８とステンレスメッシュ７の間に、万が一、隙間が生じた場合でも、ステンレスメッシュ７の上縁部７ｃの折曲部分が障壁となって、シロアリ６がそれより上方へは登上できないという利点がある。
【００５１】
以上、第１乃至第４実施形態においては、断熱材５が突出部４に密着しているが、これに限定されるものではなく、断熱材５と突出部４との間に隙間があってもよい。
【００５２】
図１０に示すように、第５実施形態に係る外断熱基礎構造は、例えば、第１実施形態においてステンレスメッシュ７等のシート材を使用しない場合であって、突出部４の上面４ｃが地上の所定高さＬで且つ下面４ｄが地下１４に位置するように、突出部４を基礎スラブ２の外側面２ａ（外周基礎の外側面）の上端に設けたものである。
【００５３】
即ち、突出部４の上方に密着した断熱材５は地上の所定高さＬに位置しているので、断熱材５をシロアリ６による食害から保護することができる。そのため、断熱材５の内部をシロアリ６が通過して上方の軸組Ｂや床組Ｃへ侵入するのを防止できるという利点がある。
【００５４】
なお、高さＬとしては、既述のシート材の場合と同様、地面から約５ｃｍ以上、より好ましくは約１０ｃｍ以上がよい。また、突出部４の形成位置も基礎スラブ２に限定されるものではなく、外周立ち上がり部１の外側面１ａに設けておいてもよい。
【００５５】
ここで、断熱性をより向上させるためには、突出部４の下方にも断熱材５を密着させておくのが望ましい。また、突出部４の外側面４ａにおける地上の所定高さから、この突出部４の上方に密着した断熱材５の少なくとも外側面５ａ全体を覆うようにモルタル８等の表面材を塗布しておけば、断熱材５を紫外線等から保護するモルタル仕上げ等を行うことができると共に、下端が地上にある表面材と突出部４との間に隙間が生じた場合でも、シロアリ６が侵入することがないという利点がある。更に、この実施形態のように、少なくとも突出部４の外側面４ａと上方の断熱材５の外側面５ａとの継目にラス網５７を取付けておけば、表面材を塗布する場合に突出部４と断熱材５との間でひび割れが生じるのを防止できるという利点がある。
【００５６】
なお、突出部４としては、図１１に示すように、外周立ち上がり部１の外側面１ａから外方へ突出する基礎スラブ２，３２の外周部分２ｅ，３２ｅ等も含まれる。また、ここでいうところの外周基礎の外側面としては、基礎スラブ２，２２，３２の外側面２ａ，２２ａ，３２ａ、外周立ち上がり部１，３１の外側面１ａ，３１ａ、図１２乃至図１４のような建物Ａの外周部分に施工された布基礎５８の立ち上がり部５９の外側面５９ａ等が含まれる。
【００５７】
更に、突出部４は１つに限定されるものではなく、図１４に示すように、立ち上がり部５９の外側面５９ａ等、外周基礎の外側面に上下に２つ以上設けておいてもよい。この場合、ラス網５７等の上縁部５７ｃと下縁部５７ｄとを上下の突出部４に取付けることができるので、施工し易いという利点がある。また、第１乃至第４実施形態において、外周立ち上がり部１，３１の外側面１ａ，３１ａの上端や基礎スラブ２２の外側面２２ａの上端等にも更に突出部４を設けておけば、ステンレスメッシュ７等のシート材の上縁部７ｃと下縁部７ｄとを上下の突出部４に取付けることができるので、同様の効果がある。
【００５８】
以上のように、外周基礎の外側面に断熱材５の厚さと略同じ厚さで周方向に延びる少なくとも１つの突出部４を設けてなる外断熱用基礎としているので、突出部４の外側面４ａと断熱材５の外側面５ａとが面一の外断熱基礎構造を提供できる。また、このような外断熱基礎構造によれば、ステンレスメッシュ７等のシート材やラス網５７の取付け作業等が容易である。
【００５９】
また、第５実施形態のように、突出部４の上面４ｃが地上の所定高さＬにあり且つ下面４ｄが地面１５と略同じ高さ又は地下１４にある外断熱用基礎であれば、ステンレスメッシュ７等のシート材を使用しないでも防蟻効果のある外断熱基礎構造を提供できる。
【００６０】
【発明の効果】
以上のように、請求項１、請求項２、及び請求項３の発明によれば、突出部の外側面から少なくとも地上の所定高さまでの範囲をシート材で被覆しているので、断熱材をシロアリによる食害から保護できる。そのため、断熱材の内部をシロアリが通過して上方の軸組や床組へ侵入するのを防止できる。
【００６１】
請求項４の発明によれば、突出部の外側面と断熱材の外側面が面一であり、シート材を折曲しないでフラットに取付けられるので、施工し易い。
【００６２】
請求項５の発明によれば、シート材の上縁部を外方へ折曲しているので、表面材とシート材の間に、万が一、隙間が生じた場合でも、シート材の上縁部の折曲部分が障壁となって、シロアリがそれより上方へは登上できない。
【００６３】
請求項６の発明によれば、シート材が複数のアンカー孔を有するので、断熱材に接着又は埋設する際に、アンカー効果によってこのシート材をより強固に一体化できる。また、アンカー孔の寸法が少なくともいずれかの方向においてシロアリの頭部横断面における最大寸法の２倍以下であるので、表面材を塗布しない状態でもシロアリがシート材を通り抜けるのを確実に阻止できる。更に、アンカー孔の寸法を比較的大きくできるので、シート材の材料コストを低減化できると共に、寸法精度も低くてよいために製造も簡単である。
【００６４】
請求項７の発明によれば、少なくともシート材の表面に表面材を塗布しているので、シロアリの頭部横断面における最大寸法の３倍以下の寸法である複数のアンカー孔を有するシート材を使用でき、シート材の製造コストをより低減化できる。
【００６５】
請求項８の発明によれば、表面材を、断熱材の外側面全体、又は外側面全体と上面全体に塗布しているので、断熱材の外側面等のモルタル仕上げ等を行うことができる。
【００６６】
請求項９の発明によれば、突出部の上方に密着した断熱材の少なくとも外側面全体を覆うように表面材を塗布しているので、断熱材を紫外線等から保護するモルタル仕上げ等を行うことができると共に、下端が地上にある表面材と突出部との間に隙間が生じた場合でも、シロアリが侵入することがない。
【００６７】
請求項１０の発明によれば、請求項９の発明の効果に加えて、少なくとも突出部の外側面と断熱材の外側面との継目にラス網を取付けているので、表面材を塗布する場合に突出部と断熱材との間でひび割れが生じるのを防止できる。
【００６８】
請求項１１の発明によれば、突出部の外側面と断熱材の外側面とが面一であるので、ステンレスメッシュ等のシート材やラス網の取付け作業等が容易である。また、少なくとも突出部の外側面と断熱材の外側面との継目にラス網を取付けているので、表面材を塗布する場合に突出部と断熱材との間でひび割れが生じるのを防止できる。
【００６９】
請求項１２の発明によれば、突出部の上方に密着した断熱材が地上の所定高さに位置しているので、ステンレスメッシュ等のシート材を使用しないでも、断熱材をシロアリによる食害から保護できる。そのため、断熱材の内部をシロアリが通過して上方の軸組や床組へ侵入するのを防止できる。また、少なくとも突出部の外側面と断熱材の外側面との継目にラス網を取付けているので、表面材を塗布する場合に突出部と断熱材との間でひび割れが生じるのを防止できる。
【図面の簡単な説明】
【図１】第１実施形態に係る建物の防蟻構造の縦断面図。
【図２】断熱材付近の要部拡大縦断面図。
【図３】（ａ）はシロアリの平面図、（ｂ）は（ａ）のＹ−Ｙ線断面図。
【図４】ステンレスメッシュの要部拡大平面図。
【図５】第２実施形態に係る建物の防蟻構造の縦断面図。
【図６】断熱材付近の要部拡大縦断面図。
【図７】第３実施形態に係る建物の防蟻構造の縦断面図。
【図８】断熱材付近の要部拡大縦断面図。
【図９】第４実施形態に係る建物の防蟻構造における断熱材付近の要部拡大縦断面図。
【図１０】第５実施形態に係る外断熱基礎構造における断熱材付近の要部拡大縦断面図。
【図１１】基礎スラブの外周部分を突出部とした例を示す断熱材付近の要部拡大縦断面図。
【図１２】布基礎の立ち上がり部の外側面に突出部を設けた例を示す断熱材付近の要部拡大縦断面図。
【図１３】布基礎の立ち上がり部の外側面に突出部を設けた他の例を示す断熱材付近の要部拡大縦断面図。
【図１４】布基礎の立ち上がり部の外側面に突出部を設けた他の例を示す断熱材付近の要部拡大縦断面図。
【符号の説明】
Ａ  建物
Ｂ  軸組
Ｃ  床組
１  外周立ち上がり部（外周基礎）
１ａ  外側面
２  基礎スラブ
２ａ  外側面
２ｅ  外周部分
３  ベた基礎
４  突出部
４ａ  外側面
４ｃ  上面
４ｄ  下面
５  断熱材
５ａ  外側面
５ｃ  上面
６  シロアリ
６ａ  頭部
７  ステンレスメッシュ（シート材）
７ｃ  上縁部
８  モルタル（表面材）
１３  編み目（アンカー孔）
１４  地下
１５  地面
２２  基礎スラブ（外周基礎）
２２ａ  外側面
３１  外周立ち上がり部（外周基礎）
３１ａ  外側面
３２  基礎スラブ（外周基礎）
３２ａ  外側面
３２ｅ  外周部分
３３  べた基礎
５７  ラス網
５９  立ち上がり部（外周基礎）
５９ａ  外側面
【図１】
0003671365.tif 000002
【図２】
0003671365.tif 000003
【図３】
0003671365.tif 000004
【図４】
0003671365.tif 000005
【図５】
0003671365.tif 000006
【図６】
0003671365.tif 000007
【図７】
0003671365.tif 000008
【図８】
0003671365.tif 000009
【図９】
0003671365.tif 000010
【図１０】
0003671365.tif 000011
【図１１】
0003671365.tif 000012
【図１２】
0003671365.tif 000013
【図１３】
0003671365.tif 000014
【図１４】
0003671365.tif 000015